(57)【特許請求の範囲】
【請求項１】
水を冷却する飲料水冷却部と、
この飲料水冷却部で冷却された冷却水を吐水して、使用者に供給する飲料水吐水口を有した飲料水吐水部と、
炭酸ガスを導入する炭酸ガス導入口を有した炭酸ガス導入部と、
この炭酸ガス導入部から導入された炭酸ガスを噴射して、使用者に供給する炭酸ガス噴射口を有した炭酸ガス噴射部と、
を備え、
前記飲料水吐水部及び前記炭酸ガス噴射部は、使用者に冷却水と炭酸ガスとを別個独立して供給するように配置されていることを特徴とするウォーターサーバー。
【請求項２】
前記飲料水吐水部と前記炭酸ガス噴射部とが並設されていることを特徴とする請求項１記載のウォーターサーバー。
【請求項３】
冷却水を貯留して、炭酸ガスを流入させる炭酸ガス流入口を有した容器を案内し、前記炭酸ガス流入口を前記炭酸ガス噴射口に連通させる第１案内部を備えていることを特徴とする請求項２記載のウォーターサーバー。
【請求項４】
前記炭酸ガス導入部と前記炭酸ガス噴射部とを連通する炭酸ガス流路を開閉する第１開閉弁と、
前記炭酸ガス噴射部に設けられ、前記炭酸ガス流入口を前記炭酸ガス噴射口に連通させると開弁する第２開閉弁と、
を備えていることを特徴とする請求項３記載のウォーターサーバー。
【請求項５】
前記炭酸ガス導入部は、
炭酸ガスを貯蔵し、炭酸ガスが流出する炭酸ガス吐出口を有した炭酸ガス吐出部を具備したボンベを案内し、前記炭酸ガス吐出口を前記炭酸ガス導入口に連通させる第２案内部を有していることを特徴とする請求項１乃至４のいずれか１項記載のウォーターサーバー。
【請求項６】
前記炭酸ガス導入口は、
前記ボンベを装着する際の開口方向と、前記ボンベを収納した際の開口方向との間で回動する請求項５記載のウォーターサーバー。
【発明の詳細な説明】
【技術分野】
【０００１】
本発明は、ウォーターサーバーに関するものである。
【背景技術】
【０００２】
特許文献１は従来のウォーターサーバーを開示している。このウォーターサーバーは装置内に設けられたチャンバの中に水と炭酸ガスとを所定の割合で充填する。そして、チャンバ内に設けられたブレード付き攪拌器を回転させ、水と炭酸ガスとを攪拌することによって炭酸水を製造することができる。このため、このウォーターサーバーはブレード付き攪拌器の回転する速度や時間を調節することによって所望の濃度の炭酸水を製造することができる。
【０００３】
また、特許文献２は従来の炭酸ガス混入装置を開示している。この炭酸ガス混入装置は嵌合筒部とキャップとを有している。嵌合筒部は炭酸ガスを貯蔵したボンベが収納されている。ボンベは炭酸水を１回製造することができる。ボンベは栓体で嵌合筒部に固定されている。キャップは上下に貫通する貫通孔が設けられている。キャップはボトルの中と外とを連通する貫通孔が設けられている。また、キャップは貫通孔の上側に孔付針が設けられている。また、キャップは貫通孔に連通して注入管が設けられている。キャップは貫通孔と注入管とが連結している部分に一方向弁が連通して設けられている。キャップは冷水の入ったボトルに取り付けることによってボトルを密封することができる。
【０００４】
この炭酸ガス混入装置はボンベが収納された嵌合筒部をキャップにねじ込むことによって、キャップに設けられた孔付針がボンベを開栓することができる。こうして、この炭酸ガス混入装置はボトル内にボンベから吐出した炭酸ガスを流入させることができる。この炭酸ガス混入装置はボトル内に流入した炭酸ガスが一方向弁によって、ボトル内から外側に漏出することがない。このため、この炭酸ガス混入装置は製造した炭酸水の品質を長時間維持することができる。
【先行技術文献】
【特許文献】
【０００５】
【特許文献１】特表２００４−５２８９６９号公報
【特許文献２】実用新案登録第３１７７０８３号公報
【発明の概要】
【発明が解決しようとする課題】
【０００６】
しかし、特許文献１のウォーターサーバーは、装置本体内にチャンバを設けているため、装置の構造が複雑である。また、このウォーターサーバーは、炭酸水を使用者に供給する前に、装置本体内のチャンバで水と炭酸ガスとを攪拌する時間が必要である。このため、このウォーターサーバーは、使用者に炭酸水を提供するまでに時間がかかる。
【０００７】
また、炭酸ガスは水の温度が低いほど、より多く水に溶け込む性質を有する。このため、特許文献２の炭酸ガス混入装置は冷却水を入手しないと、炭酸水を良好に製造することができない。また、この炭酸ガス混入装置は炭酸水を製造する毎に新しいボンベを嵌合筒部に収納する手間がかかる。
【０００８】
本発明は上記従来の事情に鑑みてなされたものであって、炭酸水を容易に製造することができるウォーターサーバーを提供することを解決すべき課題としている。
【課題を解決するための手段】
【０００９】
本発明のウォーターサーバーは、
水を冷却する飲料水冷却部と、
この飲料水冷却部で冷却された冷却水を吐水して、使用者に供給する飲料水吐水口を有した吐水部と、
炭酸ガスを導入する炭酸ガス導入口を有した炭酸ガス導入部と、
この炭酸ガス導入部から導入された炭酸ガスを噴射して、使用者に供給する炭酸ガス噴射口を有した炭酸ガス噴射部と、
を備え、
前記飲料水吐水部及び前記炭酸ガス噴射部は、使用者に冷却水と炭酸ガスとを別個独立して供給するように配置されている。
【００１０】
このウォーターサーバーは使用者に冷却水と炭酸ガスとを別々に供給することができる。これにより、このウォーターサーバーは使用者が所望の量の冷却水に所望の量の炭酸ガスを混ぜて所望の量の炭酸水を製造することができる。このため、このウォーターサーバーは装置内に炭酸水を製造するための構造を設けないため、装置内の構造を簡単にすることができる。また、このウォーターサーバーは装置内に炭酸水を製造するための構造を設ける空間が不要であるため、より装置の外形を小さくすることができる。また、このウォーターサーバーは使用者の所望の量の炭酸水を製造することができるため、冷却水及び炭酸ガスを無駄に使用することを抑えることができる。
【００１１】
したがって、本発明のウォーターサーバーは構造を簡単にすることができる。
【図面の簡単な説明】
【００１２】
【図１】実施例１のウォーターサーバーの構成を示す概略図である。
【図２】実施例１のウォーターサーバーのカートリッジ、及び飲料水載置部を示す要部拡大図であり、（Ａ）はカートリッジを飲料水載置部に載置する前の状態を示し、（Ｂ）はカートリッジを飲料水載置部に載置した状態を示す。
【図３】実施例１のウォーターサーバーの炭酸ガス導入部及びボンベの炭酸ガス吐出部を示す要部拡大図である。
【図４】実施例１のウォーターサーバーの炭酸ガス噴射部、炭酸ガス流入部、及び貯留部の冷却水流入部を示す要部拡大図である。
【図５】実施例１のウォーターサーバーの炭酸ガス噴射部開閉弁の炭酸ガス噴射口及び炭酸ガス流入部の逆止弁の炭酸ガス流入口が連通している状態を示す要部拡大図である。
【図６】実施例１のウォーターサーバーの外観を示す正面図である。
【図７】実施例１のウォーターサーバーの外観を示す側面図である。
【図８】図６の矢視Ｘ−Ｘ断面図である。
【図９】図６の矢視Ｙ−Ｙ断面図である。
【図１０】実施例１のウォーターサーバーを用いて炭酸水を製造する作業手順であって、貯留部に飲料水吐水口から吐水した冷却水を流入させた状態を示す。
【図１１】実施例１のウォーターサーバーを用いて炭酸水を製造する作業手順であって、冷却水を流入させた貯留部に炭酸ガス流入部の蓋部をねじ込んで取り付けた状態を示す。
【図１２】実施例１のウォーターサーバーを用いて炭酸水を製造する作業手順であって、冷却水を流入し炭酸ガス流入部を取り付けた容器の逆止弁を炭酸ガス噴射部の逆止弁案内部に挿入し、逆止弁の炭酸ガス流入口が炭酸ガス噴射部開閉弁の炭酸ガス噴射口に連通した状態を示す。
【図１３】実施例１のウォーターサーバーを用いて炭酸水を製造する作業手順であって、冷却水を流入させた容器内に炭酸ガス流入部を介して炭酸ガスを流入させる状態を示す。
【図１４】実施例１のウォーターサーバーを用いて炭酸水を製造する作業手順であって、冷却水及び炭酸ガスを流入させた容器を供給部から取り外した状態を示す。
【図１５】実施例１のウォーターサーバーを用いて炭酸水を製造する作業手順であって、冷却水及び炭酸ガスを流入させた容器を振って、容器内の冷却水及び炭酸ガスを攪拌する状態を示す。
【図１６】他の実施例の炭酸ガス導入部及びボンベの炭酸ガス吐出部を示す要部拡大図である。
【発明を実施するための形態】
【００１３】
本発明における好ましい実施の形態を説明する。
【００１４】
本発明のウォーターサーバーは、前記飲料水吐水部と前記炭酸ガス噴射部とが並設され得る。この場合、このウォーターサーバーは飲料水吐水部から取り出した冷水に炭酸ガス噴射部から直ぐに炭酸ガスを噴射して混ぜることができる。これにより、このウォーターサーバーは、冷却水が温まる前に即時に炭酸水を製造することができるため、より多くの炭酸ガスを冷却水に混ぜることができ、より高い濃度の炭酸水を製造することができる。
【００１５】
本発明のウォーターサーバーは、冷却水を貯留し、炭酸ガスを流入させる炭酸ガス流入口を有した容器を案内し、前記炭酸ガス流入口を前記炭酸ガス噴射口に連通させる第１案内部を備え得る。この場合、このウォーターサーバーは容器に設けられた炭酸ガス流入口を炭酸ガス噴射口に確実に案内し連通させることができる。このため、このウォーターサーバーは、炭酸ガス流入部と炭酸ガス噴射部とを容易に連通させることができる。また、このウォーターサーバーは意図せずに炭酸ガス流入部が炭酸ガス噴射部や、炭酸ガス噴射部の周辺にぶつかり破損したり変形したりすることを抑えることができる。
【００１６】
本発明のウォーターサーバーは、前記炭酸ガス導入部と前記炭酸ガス噴射部とを連通する炭酸ガス流路を開閉する第１開閉弁と、前記炭酸ガス噴射部に設けられ、前記炭酸ガス流入口を前記炭酸ガス噴射口に連通させると開弁する第２開閉弁とを備え得る。この場合、このウォーターサーバーは容器の炭酸ガス流入口が炭酸ガス噴射口に連通していないと第２開閉弁が開弁しない。このため、このウォーターサーバーは、容器の炭酸ガス流入口が炭酸ガス噴射口に連通していない状態で第１開閉弁が不用意に開弁しても、炭酸ガスが炭酸ガス噴射口から噴出することを抑えることができる。
【００１７】
本発明のウォーターサーバーの炭酸ガス導入部は、炭酸ガスを貯蔵し、炭酸ガスが流出する炭酸ガス吐出口を有した炭酸ガス吐出部を具備したボンベを案内し、前記炭酸ガス吐出口を前記炭酸ガス導入口に連通させる第２案内部を有し得る。この場合、このウォーターサーバーは炭酸ガス導入部に設けられた第２案内部でボンベを案内することができるため、炭酸ガス吐出口を炭酸ガス導入口に確実に案内し連通させることができる。このため、このウォーターサーバーはボンベの炭酸ガス吐出口と炭酸ガス導入口とで接続不良が生ずることを防止することができ、接続不良によって炭酸ガスが漏出することを防止することができる。
【００１８】
本発明のウォーターサーバーの炭酸ガス導入口は、前記ボンベを装着する際の開口方向と、前記ボンベを収納した際の開口方向との間で回動し得る。この場合、このウォーターサーバーは、ボンベを装着し炭酸ガス吐出口を炭酸ガス導入口に連通させる際、炭酸ガス導入口を作業者の方向に向けることができるため、ボンベを容易に装着することができる。また、このウォーターサーバーはボンベの装着が終了した後、炭酸ガス導入口がボンベと共に回動しボンベを装置内に収納することができる。こうして、このウォーターサーバーはボンベを装置内に容易に収納することができるため、奥行き寸法を小さくすることができる。
【００１９】
次に、本発明のウォーターサーバーを具体化した実施例１について、図面を参照しつつ説明する。
【００２０】
＜実施例１＞
実施例１のウォーターサーバーは、図１に示すように、飲料水を供給する飲料水供給機能部１、炭酸ガスを供給する炭酸ガス供給機能部２、供給部１３、及び容器４０を備えている。
【００２１】
飲料水供給機能部１は、飲料水載置部１０、カートリッジ１０Ｆ、飲料水載置部導水路２０、飲料水冷却部１１、飲料水冷却部導水路２１、飲料水加熱部１２、飲料水吐水部導水路２２、及び飲料水吐水部２３を有している。
【００２２】
飲料水載置部１０はウォーターサーバー本体５０の上端部に設けられている（図１、２（Ａ）、（Ｂ）、６、７参照。）。飲料水載置部１０は、飲料水載置部底壁１０Ａ、立壁部１０Ｂ、カバー部材収納部１０Ｋ、カバー部材１０Ｄ、載置部バネ１０Ｅを有している。飲料水載置部底壁１０Ａは前後方向に幅を有し左右方向に拡がった平板状をなしている。立壁部１０Ｂは飲料水載置部底壁１０Ａの前側の左右両端部、左右両側、及び後側から上方向に伸びている。立壁部１０Ｂは前側の左右両端部の互いに対向する２辺の間の寸法が上方向に向かうにつれて大きくなっている。カバー部材収納部１０Ｋは飲料水載置部底壁１０Ａの上面から下方向に窪んで形成されている。カバー部材収納部１０Ｋは円筒状をなしており、下端に円筒状の内側に向けて伸びたカバー部材収納部底壁１０Ｌが設けられている。カバー部材収納部底壁１０Ｌは後述する飲料水載置部導水路２０が貫通している。
【００２３】
カバー部材１０Ｄは円筒状をなして上下方向に伸びている。カバー部材１０Ｄは円筒状の上端に円筒状の内側に向けて伸びた保護壁部１０Ｍが設けられている。保護壁部１０Ｍは中央部に上下方向に貫通してニードル挿通孔１０Ｎが設けられている。カバー部材１０Ｄは円筒状の下端が開口している。カバー部材１０Ｄは円筒状の下端部が飲料水載置部底壁１０Ａに設けられたカバー部材収納部１０Ｋに挿入されている。
【００２４】
載置部バネ１０Ｅは飲料水載置部底壁１０Ａに設けられたカバー部材収納部１０Ｋに設けられている。載置部バネ１０Ｅは圧縮コイルバネである。載置部バネ１０Ｅは上下方向に配置されて下端がカバー部材収納部１０Ｋのカバー部材収納部底壁１０Ｌ上面に連結されている。また、載置部バネ１０Ｅは上端がカバー部材１０Ｄの保護壁部１０Ｍの下面に連結されている。これにより、カバー部材１０Ｄは上方向に載置部バネ１０Ｅの弾性力が付与されている。つまり、カバー部材１０Ｄは後述するカートリッジ１０Ｆを飲料水載置部１０に載置していない状態において、飲料水載置部導水路２０のニードル部２０Ａの周囲を覆うことができる。このため、カバー部材１０Ｄは使用者等がニードル部２０Ａに不用意に触れることを抑えることができる。また、カバー部材１０Ｄは上側から下方向に力が加えられると保護壁部１０Ｍとカバー部材収納部１０Ｋ内に収納され、保護壁部１０Ｍの上面と飲料水載置部底壁１０Ａの上面とが面一になる（図２（Ｂ）参照。）。また、カバー部材１０Ｄは上側から下方向に力を加えることを止めると載置部バネ１０Ｅの弾性力によって上方向に移動し、円筒状の下端部がカバー部材収納部１０Ｋに挿入されている状態に戻る。
【００２５】
こうして構成された飲料水載置部１０は、飲料水が充填された後述する袋５３を収納したカートリッジ１０Ｆを載置して、ウォーターサーバー内に飲料水を導入することができる。詳しくは、飲料水載置部１０は、飲料水が充填された袋５３を収納したカートリッジ１０Ｆを載置すると、カバー部材１０Ｄの保護壁部１０Ｍがカートリッジ１０Ｆのカートリッジ底壁１０Ｇに当接し押し下げられる。このとき、保護壁部１０Ｍはニードル挿通孔１０Ｎが飲料水載置部導水路２０のニードル部２０Ａを挿通する。また、飲料水載置部１０は立壁部１０Ｂにカートリッジ１０Ｆの窪み部１０Ｐが嵌合する。また、飲料水載置部１０はカートリッジ１０Ｆのカートリッジ底壁１０Ｇの下面が飲料水載置部底壁１０Ａの上面に当接すると、飲料水載置部導水路２０のニードル部２０Ａの上端はカートリッジ底壁１０Ｇに設けられた貫通孔１０Ｑを挿通し、カートリッジ底壁１０Ｇの上側に突出しつつ、袋５３に突き刺さる。
【００２６】
カートリッジ１０Ｆは、カートリッジ底壁１０Ｇ、周囲壁１０Ｈ、及び上蓋１０Ｊを有している。カートリッジ底壁１０Ｇは前後方向に幅を有し左右方向に拡がった平板状をなしている。周囲壁１０Ｈはカートリッジ底壁１０Ｇの外周に連続して立ち上がっている。周囲壁１０Ｈは外周面の下端部の前側の左右両端部、左右両側、及び後側が内側に向けて窪み形成された窪み部１０Ｐが形成されている。窪み部１０Ｐは飲料水載置部１０の立壁部１０Ｂに嵌合する。カートリッジ底壁１０Ｇは上下方向に貫通して貫通孔１０Ｑが設けられている。貫通孔１０Ｑはカートリッジ１０Ｆを飲料水載置部１０に載置した際、カバー部材１０Ｄのニードル挿通孔１０Ｎに同軸上に連通する。上蓋１０Ｊは前側が前後方向に幅を有し左右方向に拡がっており、後側が前側の後端縁から後方向で下側に垂下している（図７参照。）。上蓋１０Ｊは下面が周囲壁１０Ｈの上端に当接して周囲壁１０Ｈの上端に載置される。
【００２７】
こうして構成されたカートリッジ１０Ｆは飲料水が充填された袋５３を収納することができる。詳しくは、飲料水が充填された袋５３はポリプロピレン等の合成樹脂で形成されているため形が定まらず扱い難い。カートリッジ１０Ｆは飲料水が充填された袋５３を収納することによって、飲料水が充填された袋５３を容易に運搬し飲料水載置部１０に載置することができる。また、飲料水載置部導水路２０のニードル部２０Ａが袋５３に突き刺さる際、カートリッジ１０Ｆは袋５３とニードル部２０Ａとの相対位置を確実に合わせることができるため、飲料水が袋５３から漏出することを抑えることができる。
【００２８】
飲料水載置部導水路２０は管状をなして上下方向に伸びている。飲料水載置部導水路２０は管状の下端が後述する飲料水冷却部１１の閉鎖された上端に連通している。飲料水載置部導水路２０はニードル部２０Ａ及び飲料水導入電磁弁２０Ｃを有している。ニードル部２０Ａは上方向に細い円錐状に形成されている。ニードル部２０Ａは内部が空洞である。ニードル部２０Ａは円錐状の外周面に貫通して設けられた飲料水導入孔２０Ｂが形成されている。ニードル部２０Ａは円錐状の下端が飲料水載置部導水路２０の管状の上端に連通している。飲料水載置部導水路２０は飲料水載置部１０のカバー部材収納部底壁１０Ｌを貫通し、ニードル部２０Ａが飲料水載置部底壁１０Ａの上方に突出して設けられている。ニードル部２０Ａは上端がカバー部材１０Ｄの保護壁部１０Ｍの下側に位置している。
【００２９】
飲料水導入電磁弁２０Ｃは飲料水載置部導水路２０の飲料水載置部１０のカバー部材収納部底壁１０Ｌと飲料水冷却部１１の閉鎖された上端との間に連通して設けられている。飲料水導入電磁弁２０Ｃは入水ポートが飲料水載置部１０のカバー部材収納部底壁１０Ｌ側に設けられている。飲料水導入電磁弁２０Ｃは制御部（図示せず）に電気的に接続されている。制御部は装置内に導入された飲料水や炭酸ガスの流れを制御することができる。また、制御部は装置内の状態に対応する値と比較する際に用いる所定の値を保存することができる。
【００３０】
また、飲料水載置部導水路２０は飲料水導入電磁弁２０Ｃの上側が飲料水冷却部１１の閉鎖された上端に対して支持部材を介して連結されている（図示せず。）。これにより、飲料水載置部導水路２０は飲料水導入電磁弁２０Ｃの上側が飲料水冷却部１１の閉鎖された上端に対してずれることがない。支持部材は合成樹脂製である。このため、このウォーターサーバーは装置内に熱水を循環させて満たし、装置内の殺菌を行う際、飲料水冷却部１１に満たされた熱水の熱が支持部材を介してニードル部２０Ａに伝達し難くすることができる。これにより、このウォーターサーバーはニードル部２０Ａが突き刺さった袋５３が熱水の熱によって変形したり、破れたりして袋５３に充填された飲料水が袋５３とニードル部２０Ａとの間から漏出することを抑えることができる。
【００３１】
こうして構成された飲料水載置部導水路２０は飲料水が充填された袋５３から飲料水を飲料水冷却部１１に導入することができる。詳しくは、飲料水載置部１０に飲料水が充填された袋５３を収納したカートリッジ１０Ｆを載置する。すると、ニードル部２０Ａはカートリッジ底壁１０Ｇに設けられた貫通孔１０Ｑを挿通し、カートリッジ底壁１０Ｇの上側に突出しつつ、袋５３に突き刺さる。そして、飲料水はニードル部２０Ａに設けられた飲料水導入孔２０Ｂ通り飲料水導入電磁弁２０Ｃの入水ポートに到達する。
【００３２】
飲料水導入電磁弁２０Ｃは後述する飲料水冷却部１１のフロートスイッチ１１Ｄで検出した飲料水冷却部１１内に貯留された飲料水の水位に対応する値が所定の値（所定の値は予め制御部に保存されている）より大きい場合に自動で閉弁し、所定の値より小さい場合に自動で開弁することができる。詳しくは、制御部はフロートスイッチ１１ＤがＯＦＦからＯＮに切り替わったと判別した時（飲料水冷却部１１内の水位が下がった時）、リードタイムを５秒設けて、飲料水導入電磁弁２０Ｃを開弁する制御を実行し、飲料水冷却部１１へ飲料水を導入する。また、制御部はフロートスイッチ１１ＤがＯＮからＯＦＦに切り替わったと判別した時（飲料水冷却部１１内の水位が上がった時）、リードタイムを０．８秒設けて、飲料水導入電磁弁２０Ｃを閉弁する制御を実行する。これにより、飲料水導入電磁弁２０Ｃは飲料水載置部１０から飲料水冷却部１１に適量の飲料水を導入することができる。
【００３３】
飲料水冷却部１１は飲料水載置部１０の下側に設けられている。飲料水冷却部１１は円筒状をなして上下方向に伸び、上端及び下端が閉鎖されている。飲料水冷却部１１は内側に仕切り部１１Ａが設けられている。仕切り部１１Ａは飲料水冷却部１１の内側に形成された空間を上側と下側とに仕切っている。仕切り部１１Ａは円盤状をなしている。仕切り部１１Ａは円盤状の中心軸が飲料水冷却部１１の円筒状の中心軸上に配置されている。仕切り部１１Ａは円盤状の外径が飲料水冷却部１１の円筒状の内径より僅かに小さい。つまり、飲料水冷却部１１は仕切り部１１Ａによって仕切られた上側及び下側の空間が仕切り部１１Ａの外周面と飲料水冷却部１１の円筒状の内周面との間に形成された隙間を介して互いに連通している。
【００３４】
仕切り部１１Ａは平板状の中央部に上下方向に貫通して貫通孔１１Ｂが設けられている。この貫通孔１１Ｂは後述する飲料水冷却部導水路２１の上端が連通している。飲料水冷却部１１は下側の外周面に冷却部材１１Ｃが取り付けられている。また、飲料水冷却部１１は閉鎖された下端に後述する冷却水流路２２Ａの管状の一端が連通している。
【００３５】
こうして構成された飲料水冷却部１１は、飲料水冷却部１１内に導入された飲料水を冷却し冷却水にすることができる。詳しくは、飲料水冷却部１１は飲料水載置部導水路２０から導入された飲料水が仕切り部１１Ａの外周面と飲料水冷却部１１の円筒状の内周面との間に形成された隙間を介して仕切り部１１Ａによって仕切られた飲料水冷却部１１の下側の空間に導入される。飲料水冷却部１１は下側の空間に導入された飲料水が後述する飲料水吐水部導水路２２の冷却水流路２２Ａ側を介して、飲料水吐水路２２Ｄの冷却水側電磁弁２２Ｆの入水ポート側及び熱水循環路２２Ｃの循環路電磁弁２２Ｅの入水ポート側まで導入される。また、飲料水は仕切り部１１Ａの貫通孔１１Ｂ及び飲料水冷却部導水路２１を介して後述する飲料水加熱部１２に導入される。
【００３６】
また、飲料水冷却部１１は仕切り部１１Ａによって仕切られた飲料水冷却部１１の下側の空間に導入された飲料水を冷却部材１１Ｃによって冷却し冷却水にすることができる。冷却部材１１Ｃは仕切り部１１Ａの下側に配置されている。つまり、飲料水冷却部１１は飲料水を冷却することができる。水は冷却され温度が下がると比重が高くなり下方に沈みやすくなる。このため、飲料水冷却部１１は冷却部材１１Ｃを仕切り部１１Ａの下側に設ける事によって、効率よく飲料水を冷却することができる。また、飲料水冷却部１１は仕切り部１１Ａによって、冷却水と冷却されていない飲料水とが混合することを防ぐことができる。つまり、仕切り部１１Ａは冷却水と冷却されていない飲料水とが混合することによって冷却水の温度が変化することを抑さえることができる。こうして、飲料水冷却部１１は仕切り部１１Ａの上側の空間に飲料水を常温で貯蔵し、下側の空間に冷却水を貯蔵することができる。このため、このウォーターサーバーは安定して冷却された飲料水を使用者に供給することができる。
【００３７】
また、飲料水冷却部１１は閉鎖された上端にフロートスイッチ１１Ｄが設けられている。フロートスイッチ１１Ｄは飲料水冷却部１１に導入された水の水位を検出し、飲料水冷却部１１に貯蔵された飲料水の水位に対応した値を制御部に伝達することができる。
【００３８】
飲料水冷却部導水路２１は管状をなして上下方向に伸びている。飲料水冷却部導水路２１は管状の上端部が飲料水冷却部１１の閉鎖された下端を貫通して飲料水冷却部１１内に伸びている。飲料水冷却部導水路２１は上端が飲料水冷却部１１の仕切り部１１Ａに設けられた貫通孔１１Ｂに連通している。飲料水冷却部導水路２１は管状の下端部が飲料水加熱部１２の閉鎖された上端を貫通して飲料水加熱部１２内に伸びている。飲料水冷却部導水路２１は下端が飲料水加熱部１２の閉鎖された下端の上面との間に僅かに隙間を空けて配置されている。また、飲料水冷却部導水路２１は飲料水加熱部１２の閉鎖された下端部の上面の近傍が僅かに傾斜している。
【００３９】
また、飲料水冷却部導水路２１は飲料水加熱部１２の閉鎖された上端の直下に貫通して気体流入孔２１Ｂが設けられている。気体流入孔２１Ｂは飲料水冷却部１１から飲料水加熱部１２に飲料水が導入される際、飲料水加熱部１２内に残留した空気を飲料水冷却部導水路２１に流入させることができる。また、気体流入孔２１Ｂは飲料水加熱部１２で飲料水を加熱した際、飲料水冷却部１１から導入される飲料水の流れを妨げることなく、飲料水加熱部１２内で発生した水蒸気等のガスを飲料水冷却部導水路２１に流入させることができる。
【００４０】
飲料水冷却部導水路２１は飲料水冷却部１１の下端と飲料水加熱部１２の上端との間にポンプ２１Ａが連通して設けられている。ポンプ２１Ａは制御部に電気的に接続されている。ポンプ２１Ａは非駆動状態において飲料水冷却部導水路２１内の飲料水の流れを妨げない。また、飲料水冷却部導水路２１はポンプ２１Ａの上側が傾斜している。これにより、このウォーターサーバーはポンプ２１Ａを駆動して飲料水加熱部１２から飲料水冷却部１１に熱水を送る場合、ポンプ２１Ａにかかる負荷を抑えることができる。このため、このウォーターサーバーはポンプ２１Ａをより小型化することができる。
【００４１】
仮に、飲料水冷却部導水路２１のポンプ２１Ａの上側が傾斜していない場合、飲料水加熱部１２内で発生した水蒸気等のガスや飲料水加熱部１２内に残留した空気が飲料水冷却部導水路２１を通り飲料水冷却部１１に向けて流れようとしても、飲料水冷却部１１から導入される飲料水の流れによって詰まるおそれがある。しかし、このウォーターサーバーは飲料水冷却部導水路２１のポンプ２１Ａの上側を傾斜させることによって、飲料水加熱部１２内で発生した水蒸気等のガスや飲料水加熱部１２内に残留した空気が傾斜した飲料水冷却部導水路２１の上側に集まり飲料水冷却部１１に向けて流すことができる。また、飲料水冷却部１１から導入される飲料水は傾斜した飲料水冷却部導水路２１の下側に集まり飲料水加熱部１２に向けて流すことができる。つまり、このウォーターサーバーは飲料水冷却部導水路２１のポンプ２１Ａの上側を傾斜させることによって、飲料水加熱部１２内で発生した水蒸気等のガスや飲料水加熱部１２内に残留した空気、及び飲料水冷却部１１から導入される飲料水のそれぞれを良好に流すことができる。
【００４２】
こうして構成された飲料水冷却部導水路２１は飲料水冷却部１１内に導入された飲料水を飲料水加熱部１２に導入することができる。詳しくは、飲料水冷却部導水路２１は飲料水冷却部１１の仕切り部１１Ａの貫通孔を介して飲料水が導入される。そして、飲料水はポンプ２１Ａを通り、飲料水加熱部１２内の下端部に導入される。
【００４３】
また、飲料水冷却部導水路２１は、ポンプ２１Ａを駆動して飲料水加熱部１２で加熱された熱水を飲料水加熱部１２から飲料水冷却部１１、及び後述する飲料水吐水部導水路２２に送り、所定の時間、装置内に熱水を循環させて満たすことができる。これにより、このウォーターサーバーは熱水で装置内の殺菌を行うことができる。これにより、このウォーターサーバーは装置を分解することなく装置内の殺菌を容易に行うことができる。
【００４４】
飲料水加熱部１２は円筒状をなして上下方向に伸び、円筒状の上端及び下端が閉鎖されている。飲料水加熱部１２は飲料水冷却部１１の下側に設けられている。飲料水加熱部１２は内部の下部に加熱部材１２Ａが設けられている。加熱部材１２Ａはシーズヒーターが用いられている。また、飲料水加熱部１２は閉鎖された上端に後述する飲料水吐水部導水路２２の熱水流路２２Ｂの管状の他端が連通している。
【００４５】
こうして構成された飲料水加熱部１２は導入された飲料水を加熱部材１２Ａによって加熱して熱水にすることができる。また、飲料水加熱部１２は加熱部材１２Ａによって加熱された飲料水を飲料水吐水部導水路２２の熱水流路２２Ｂ側を介して、飲料水吐水路２２Ｄの熱水側電磁弁２２Ｇの入水ポート側、及び熱水循環路２２Ｃの循環路電磁弁２２Ｅの非入水ポート側まで導入する。
【００４６】
飲料水吐水部導水路２２は、冷却水流路２２Ａ、熱水流路２２Ｂ、熱水循環路２２Ｃ、及び飲料水吐水路２２Ｄを有している。冷却水流路２２Ａは管状をなして１方向に伸びている。冷却水流路２２Ａは管状の一端が飲料水冷却部１１の閉鎖された下端に連通している。熱水流路２２Ｂは管状をなして１方向に伸びている。熱水流路２２Ｂは管状の他端が飲料水加熱部１２の閉鎖された上端に連通している。
【００４７】
熱水循環路２２Ｃは管状をなして１方向に伸びている。熱水循環路２２Ｃは管状の一端を冷却水流路２２Ａの他端部に連通し、他端を熱水流路２２Ｂの一端部に連通している。熱水循環路２２Ｃは管状の中間部に循環路電磁弁２２Ｅが連通して設けられている。循環路電磁弁２２Ｅは飲料水冷却部導水路２１のポンプ２１Ａが駆動すると開弁し、ポンプ２１Ａが駆動を停止すると閉弁することができる。循環路電磁弁２２Ｅは制御部に電気的に接続されている。また、循環路電磁弁２２Ｅは入水ポートが熱水循環路２２Ｃの冷却水流路２２Ａ側に設けられている。
【００４８】
飲料水吐水路２２Ｄは管状をなして１方向に伸びている。飲料水吐水路２２Ｄは管状の一端を冷却水流路２２Ａの他端部に連通し、他端を熱水流路２２Ｂの一端部に連通している。飲料水吐水路２２Ｄは管状の中間部に冷却水側電磁弁２２Ｆ及び熱水側電磁弁２２Ｇが連通して設けられている。飲料水吐水路２２Ｄは冷却水側電磁弁２２Ｆと熱水側電磁弁２２Ｇとの間が合成樹脂で形成されている。冷却水側電磁弁２２Ｆ及び熱水側電磁弁２２Ｇは制御部にそれぞれが電気的に接続されている。冷却水側電磁弁２２Ｆ及び熱水側電磁弁２２Ｇは使用者が使用する際に制御部に電気的に接続された操作部１４を操作することによって、それぞれを開弁及び閉弁することができる。
【００４９】
ここで、操作部１４の構成を説明する。操作部１４はウォーターサーバー本体５０の前側で、後述する供給部１３の上側に隣り合い設けられている（図６、７参照。）。操作部１４は、冷却水供給ボタン１４Ａ、熱水供給ボタン１４Ｂ、炭酸ガス供給ボタン１４Ｃ、及びロック解除ボタン１４Ｄを具備している（図９参照。）。冷却水供給ボタン１４Ａを押している間、冷却水側電磁弁２２Ｆを開弁させることができる。熱水供給ボタン１４Ｂを押している間、熱水側電磁弁２２Ｇを開弁させることができる。炭酸ガス供給ボタン１４Ｃを押している間、後述する炭酸ガス電磁弁３２Ｃを開弁させることができる。ロック解除ボタン１４Ｄを押すと冷却水供給ボタン１４Ａ、熱水供給ボタン１４Ｂ、及び炭酸ガス供給ボタン１４Ｃの操作を無効にしたり、有効にしたりすることができる。つまり、ロック解除ボタン１４Ｄは誤ったボタン操作（子供のいたずらや、不用意なボタンへの接触）による冷却水や熱水の吐水や炭酸ガスの噴射を防止することができる。また、ロック解除ボタン１４Ｄは冷却水供給ボタン１４Ａの操作に対して機能しないようにすることもできる。また、飲料水加熱部１２内に貯留された熱水の温度が所定の温度より低い場合、ロック解除ボタン１４Ｄを押さず、熱水供給ボタン１４Ｂの操作を有効にしない状態で熱水供給ボタン１４Ｂを所定の時間押す。これにより、飲料水加熱部１２内に貯留された熱水を再び加熱することもできる。
【００５０】
冷却水側電磁弁２２Ｆ及び熱水側電磁弁２２Ｇは飲料水吐水路２２Ｄに対して互いに直列に隣り合い配置されている。冷却水側電磁弁２２Ｆは入水ポートが飲料水吐水路２２Ｄの冷却水流路２２Ａ側に設けられている。また、熱水側電磁弁２２Ｇは入水ポートが飲料水吐水路２２Ｄの熱水流路２２Ｂ側に設けられている。
【００５１】
こうして構成された飲料水吐水部導水路２２は後述する飲料水吐水路２２Ｄを介して冷却水及び熱水を後述する飲料水吐水部２３に送ることができる。詳しくは、飲料水吐水部導水路２２は使用者が操作部１４の冷却水供給ボタン１４Ａを押している間、冷却水側電磁弁２２Ｆを開弁することができる。これにより、冷却水側電磁弁２２Ｆの入水ポート側に導入された冷却水が冷却水側電磁弁２２Ｆを介して飲料水吐水部２３へ導入することができる。そして、所望の量の冷却水を取り出した後、冷却水供給ボタン１４Ａを押すことを止めると冷却水側電磁弁２２Ｆを閉弁することができる。これにより、冷却水の飲料水吐水部２３への導入を停止することができる。
【００５２】
また、飲料水吐水部導水路２２は使用者が操作部１４の熱水供給ボタン１４Ｂを押している間、熱水側電磁弁２２Ｇを開弁することができる。これにより、熱水側電磁弁２２Ｇの入水ポート側に導入された熱水が熱水側電磁弁２２Ｇを介して飲料水吐水部２３へ導入することができる。そして、飲料水吐水口２３Ａから熱水が吐水され使用者に供給される。そして、所望の量の熱水を取り出した後、熱水供給ボタン１４Ｂを押すことを止めると熱水側電磁弁２２Ｇを閉弁することができる。これにより、熱水の飲料水吐水部２３への導入を停止することができる。
【００５３】
また、飲料水吐水部導水路２２は飲料水冷却部導水路２１のポンプ２１Ａを駆動させると共に循環路電磁弁２２Ｅを開弁することができる。これにより、加熱部で加熱した熱水が飲料水冷却部１１に送られ、熱水循環路２２Ｃを介して再び飲料水加熱部１２に戻り、装置内を熱水が循環して満たすことによって装置内の殺菌を行うことができる。
【００５４】
飲料水吐水路２２Ｄは飲料水冷却部導水路２１のポンプ２１Ａを駆動させて装置内に熱水を循環させた際、冷却水側電磁弁２２Ｆ及び熱水側電磁弁２２Ｇのそれぞれの入水ポートまで熱水が満たされる。すると、熱水の熱が飲料水吐水路２２Ｄの冷却水側電磁弁２２Ｆと熱水側電磁弁２２Ｇとの間に伝達する。飲料水吐水路２２Ｄは冷却水側電磁弁２２Ｆと熱水側電磁弁２２Ｇとの間が合成樹脂で形成されている。このため、飲料水吐水路２２Ｄは冷却水側電磁弁２２Ｆと熱水側電磁弁２２Ｇとの間に熱水の熱が伝わり難い。つまり、飲料水吐水路２２Ｄは冷却水側電磁弁２２Ｆと熱水側電磁弁２２Ｇとの間の温度が、雑菌が繁殖し易い温度まで上昇し難い。これにより、飲料水吐水路２２Ｄは冷却水側電磁弁２２Ｆと熱水側電磁弁２２Ｇとの間で雑菌が繁殖することを抑えることができる。
【００５５】
飲料水吐水部２３は管状をなしている。飲料水吐水部２３は合成樹脂で形成されている。飲料水吐水部２３は管状の一端が飲料水吐水路２２Ｄの循環路電磁弁２２Ｅと冷却水側電磁弁２２Ｆとの間に連通している。また、飲料水吐水部２３は管状の他端がウォーターサーバー本体５０の前側に設けられた後述する供給部１３の上面部１３Ｄの下側に設けられた飲料水吐水口２３Ａに連通している。
【００５６】
こうして構成された飲料水吐水部２３は飲料水吐水部導水路２２から飲料水冷却部１１で冷却された冷却水及び飲料水加熱部１２で加熱された熱水を後述する飲料水吐水口２３Ａから吐水して使用者に供給することができる。つまり、ウォーターサーバー本体５０は冷却水及び熱水を使用者に供給することができる。
【００５７】
飲料水吐水部２３は合成樹脂で形成されている。このため、飲料水吐水部２３は飲料水吐水路２２Ｄの冷却水側電磁弁２２Ｆと熱水側電磁弁２２Ｇとの間から熱が伝わり難い。つまり飲料水吐水部２３は雑菌が繁殖し易い温度まで上昇し難い。これにより、飲料水吐水部２３は雑菌が繁殖することを抑えることができる。
【００５８】
炭酸ガス供給機能部２は、図１に示すように、炭酸ガス導入部３０、炭酸ガス流路３２、及び炭酸ガス噴射部３１を有している。炭酸ガス導入部３０はウォーターサーバー本体５０の前側の下部の内側に設けられている（図６、７参照。）。炭酸ガス導入部３０は、図３に示すように、炭酸ガス導入口３０Ａ及び第２案内部であるボンベ案内部３０Ｂを有している。
【００５９】
炭酸ガス導入口３０Ａは円筒状をなして上下方向に伸びている。炭酸ガス導入口３０Ａは円筒状の下端が開口して開口部３０Ｆを形成している。炭酸ガス導入口３０Ａは円筒状の内周面に周方向に雌ねじが形成されている。また、炭酸ガス導入口３０Ａは円筒状の上端が円筒状の内側に向けて平板状に伸びた炭酸ガス導入口上壁３０Ｃが設けられている。また、炭酸ガス導入口上壁３０Ｃは内周側の下面から下方向に円筒状をなして突出した凸部３０Ｄが形成されている。また、炭酸ガス導入口上壁３０Ｃは内周側の上面に後述する管状をなした炭酸ガス流路３２の管状の一端が連結されている。炭酸ガス導入口３０Ａは円筒状の凸部３０Ｄが炭酸ガス流路３２の一端に連通している。
【００６０】
ボンベ案内部３０Ｂは円筒状をなし、炭酸ガス導入口３０Ａの円筒状の外側に炭酸ガス導入口３０Ａを覆い上下方向に伸びている。また、ボンベ案内部３０Ｂは円筒状の中心軸が炭酸ガス導入口３０Ａの円筒状の中心軸上に配置されている。ボンベ案内部３０Ｂは炭酸ガス導入口３０Ａの外周面に対向する上下方向の区間が炭酸ガス導入口３０Ａの外周面に当接している。ボンベ案内部３０Ｂは炭酸ガス導入口３０Ａの外周面に対向する上下方向の区間の下側から径方向の外側に向けて湾曲しつつ拡径して下方向に伸びる拡径部３０Ｇが形成されている。ボンベ案内部３０Ｂは拡径部３０Ｇの下端から円筒状の直径が一定に下方向に伸びる直線部３０Ｈが形成されている。直線部３０Ｈは円筒状の内径が後述するボンベ５２のボンベ本体５２Ａの外径より僅かに大きい。ボンベ案内部３０Ｂは直線部３０Ｈの下端が炭酸ガス導入口３０Ａの下端より下方に伸びて開口している。ボンベ案内部３０Ｂは上端が円筒状の内側に向けて平板状に伸びたボンベ案内部上壁３０Ｅが設けられている。ボンベ案内部上壁３０Ｅは内周側の下面が炭酸ガス導入口上壁３０Ｃの上面に当接している。
【００６１】
こうして構成された炭酸ガス導入部３０はボンベ５２から吐出した炭酸ガスを炭酸ガス導入口３０Ａからウォーターサーバー内に導入することができる。詳しくは、炭酸ガス導入部３０はボンベ案内部３０Ｂの直線部３０Ｈの円筒状の開口した下端からボンベ５２の炭酸ガス吐出部５２Ｂを挿入しボンベ５２を挿入する。また、炭酸ガス導入部３０はボンベ案内部３０Ｂに対してボンベ５２を斜め方向から挿入する場合であっても、ボンベ５２の炭酸ガス吐出部５２Ｂが拡径部３０Ｇの内側に滑るように沿い炭酸ガス導入口３０Ａに確実に案内される。つまり、ボンベ案内部３０Ｂはボンベ５２を案内し、ボンベ５２の炭酸ガス吐出口５２Ｃを炭酸ガス導入部３０の炭酸ガス導入口３０Ａに連通させる。このため、ボンベ５２の炭酸ガス吐出口５２Ｃを炭酸ガス導入口３０Ａに確実に案内し連通させることができる。このため、炭酸ガス導入部３０はボンベ５２の炭酸ガス吐出口５２Ｃと炭酸ガス導入口３０Ａとで接続不良が生ずることを防止することができ、接続不良によって炭酸ガスが漏出することを防止することができる。
【００６２】
ここで、炭酸ガス導入部３０に取り付けるボンベ５２の構成を説明する。ボンベ５２は金属製である。ボンベ５２は、図３に示すように、ボンベ本体５２Ａ及び炭酸ガス吐出部５２Ｂを有している。ボンベ本体５２Ａ及び炭酸ガス吐出部５２Ｂは円筒状をなしている。炭酸ガス吐出部５２Ｂは外径がボンベ本体５２Ａの外径より小さい。炭酸ガス吐出部５２Ｂは円筒状の基端をボンベ本体５２Ａの円筒状の一端に同軸上に設けられている。炭酸ガス吐出部５２Ｂは外周面に周方向に雄ねじが形成されている。ボンベ５２はおよそ７４グラムの炭酸ガスを貯蔵することができる。このウォーターサーバーはボンベ５２を１つ取り付けると、およそ１０リットルの炭酸水を製造することができる。つまり、ウォーターサーバーは炭酸水を製造する毎に新しいボンベ５２を取り付ける必要がない。
【００６３】
また、炭酸ガス導入部３０は炭酸ガス導入口３０Ａにボンベ５２の炭酸ガス吐出部５２Ｂをねじ込むことができる。すると、炭酸ガス吐出部５２Ｂの円筒状の先端面が炭酸ガス導入口３０Ａに設けられた凸部３０Ｄの下端に押し付けられ、凸部３０Ｄの下端が円筒状の先端面を貫通し、ボンベ５２を開栓することができる。こうして、炭酸ガス吐出部５２Ｂの先端面に炭酸ガス吐出口５２Ｃを形成することができる。こうして、炭酸ガス導入部３０はボンベ５２の炭酸ガス吐出口５２Ｃから流出した炭酸ガスが炭酸ガス導入口３０Ａを介して炭酸ガス流路３２に導入される。
【００６４】
炭酸ガス流路３２は、図１に示すように、管状をなして伸びている。炭酸ガス流路３２は管状の一端が炭酸ガス導入口３０Ａの炭酸ガス導入口上壁３０Ｃに連結され、他端が後述する炭酸ガス噴射部開閉弁３１Ａの炭酸ガス噴射部開閉弁側上壁部３１Ｄに連結されている。炭酸ガス流路３２は一端部に減圧弁３２Ａが連通して設けられている。炭酸ガス流路３２は炭酸ガス導入部３０の近傍に屈伸自在なヒンジ部３２Ｂが設けられている。
【００６５】
炭酸ガス流路３２は炭酸ガス噴射部開閉弁３１Ａに隣り合い第１開閉弁である炭酸ガス電磁弁３２Ｃが連通して設けられている。炭酸ガス電磁弁３２Ｃは制御部に電気的に接続されている。
【００６６】
こうして構成された炭酸ガス流路３２は炭酸ガス導入部３０から導入された炭酸ガスを炭酸ガス噴射部３１に導くことができる。詳しくは、炭酸ガス流路３２は減圧弁３２Ａを調節することによって、炭酸ガス導入口３０Ａから導入され炭酸ガス噴射部３１側へ流れる炭酸ガスの流量を所望の流量に調節することができる。減圧弁３２Ａは装置を製造する際に予め所定の流量に調節しても良く、使用者が操作して所望の流量に調節しても良い。そして、炭酸ガス流路３２は炭酸ガスを炭酸ガス電磁弁３２Ｃの流入ポート側まで導入することができる。また、炭酸ガス流路３２は炭酸ガス電磁弁３２Ｃを使用者が使用する際に制御部に電気的に接続された操作部１４の炭酸ガス供給ボタン１４Ｃを押している間、開弁することができる。また、炭酸ガス電磁弁３２Ｃは炭酸ガス供給ボタン１４Ｃを押すことを止めると閉弁することもできる。
【００６７】
また、炭酸ガス流路３２はヒンジ部３２Ｂを操作し、炭酸ガス導入部３０を回動させて炭酸ガス導入口３０Ａの開口した下端を作業者の方向であるウォーターサーバー本体５０の前側に向けることができる。このため、炭酸ガス流路３２はボンベ５２を装着し炭酸ガス吐出口５２Ｃを炭酸ガス導入口３０Ａに連通させる際、炭酸ガス導入口３０Ａを作業者の方向に向けることができるため、ボンベ５２を容易に装着することができる。
【００６８】
また、炭酸ガス流路３２はヒンジ部３２Ｂを操作し、炭酸ガス導入部３０を回動させて炭酸ガス導入口３０Ａの開口した下端を鉛直方向の下向きに向けることができるため、ボンベ５２の装着が終了した後、炭酸ガス導入口３０Ａがボンベ５２と共に回動しボンベ５２を装置内に収納することができる。こうして、このウォーターサーバーはボンベ５２を装置内に容易に収納することができるため、奥行き寸法を小さくすることができる。つまり、炭酸ガス導入口３０Ａはボンベ５２を装着する際の開口方向と、ボンベ５２を収納した際の開口方向との間で回動することができる。
【００６９】
炭酸ガス噴射部３１はウォーターサーバー本体５０の前側に設けられた後述する供給部１３に設けられている。つまり、ウォーターサーバー本体５０は炭酸ガスを使用者に供給することができる。炭酸ガス噴射部３１は、図４、５に示すように、第２開閉弁である炭酸ガス噴射部開閉弁３１Ａ、及び逆止弁案内部３１Ｂを有している。
【００７０】
炭酸ガス噴射部開閉弁３１Ａは炭酸ガス噴射部開閉弁側筒部３１Ｃ、炭酸ガス噴射部開閉弁側上壁部３１Ｄ、炭酸ガス噴射部開閉弁側下壁部３１Ｅ、炭酸ガス噴射口３１Ｆ、炭酸ガス噴射部開閉弁側弁体３１Ｇ、及び炭酸ガス噴射部開閉弁側バネ３１Ｈを具備している。炭酸ガス噴射部開閉弁側筒部３１Ｃは筒状をなし上下方向に伸びている。炭酸ガス噴射部開閉弁側上壁部３１Ｄは炭酸ガス噴射部開閉弁側筒部３１Ｃの上端から内側に向けて平板状に伸びている。炭酸ガス噴射部開閉弁側上壁部３１Ｄは内側の上面に炭酸ガス流路３２の管状をなした他端が連結されている。炭酸ガス噴射部開閉弁側下壁部３１Ｅは炭酸ガス噴射部開閉弁側筒部３１Ｃの下端から内側に向けて平板状に伸びている。
【００７１】
炭酸ガス噴射口３１Ｆは炭酸ガス噴射部開閉弁側下壁部３１Ｅの平板状の中央部に上下方向に貫通して設けられている。炭酸ガス噴射部開閉弁側弁体３１Ｇは炭酸ガス噴射部開閉弁側下壁部３１Ｅに設けられた炭酸ガス噴射口３１Ｆの上側に設けられている。炭酸ガス噴射部開閉弁側弁体３１Ｇは下方向に細い円錐台状をなしている。炭酸ガス噴射部開閉弁側弁体３１Ｇは円錐台状の下側が炭酸ガス噴射口３１Ｆの上側から下方向に挿通され、炭酸ガス噴射口３１Ｆの下側に突出している。炭酸ガス噴射部開閉弁側弁体３１Ｇは円錐台状の外周面が炭酸ガス噴射口３１Ｆの内周面の上端に当接している。
【００７２】
炭酸ガス噴射部開閉弁側バネ３１Ｈは炭酸ガス噴射部開閉弁側弁体３１Ｇの上側に設けられている。炭酸ガス噴射部開閉弁側バネ３１Ｈは圧縮コイルバネである。炭酸ガス噴射部開閉弁側バネ３１Ｈは上下方向に配置されて下端が炭酸ガス噴射部開閉弁側弁体３１Ｇの上端面に連結されている。また、炭酸ガス噴射部開閉弁側バネ３１Ｈは上端が炭酸ガス噴射部開閉弁側上壁部３１Ｄの下面に連結されている。炭酸ガス噴射部開閉弁側弁体３１Ｇは下方向に炭酸ガス噴射部開閉弁側バネ３１Ｈの弾性力が付与されている。つまり、炭酸ガス噴射部開閉弁側弁体３１Ｇは円錐台状の外周面が炭酸ガス噴射口３１Ｆの内周面の上端に当接して、炭酸ガス噴射口３１Ｆを閉鎖することができる。
【００７３】
逆止弁案内部３１Ｂは筒状をなして炭酸ガス噴射部開閉弁側筒部３１Ｃの外周面の下端部から垂下している。炭酸ガス噴射部３１は炭酸ガス噴射部開閉弁３１Ａの炭酸ガス噴射部開閉弁側上壁部３１Ｄの上面がウォーターサーバー本体５０の前側に設けられた後述する供給部１３の上面部１３Ｄの下側に当接して設けられている。
【００７４】
また、逆止弁案内部３１Ｂは筒状の内側に係合部材３１Ｊが設けられている。係合部材３１Ｊは前後方向の寸法が左右方向の寸法より大きい環状をなしている。係合部材３１Ｊは環状の内側の下端部が外側に向けて傾斜した傾斜面を形成している。係合部材３１Ｊは後述する容器４０の炭酸ガス流入部４０Ｂの逆止弁４０Ｇが逆止弁案内部３１Ｂに挿入されると、逆止弁４０Ｇの外周面の上端が係合部材３１Ｊの下端部に形成された傾斜面に当接しつつ、係合部材３１Ｊが左右方向に押し広げられる。この際、係合部材３１Ｊは逆止弁案内部３１Ｂの筒状の内側に形成された溝部３１Ｋに入り込む。そして、炭酸ガス流入部４０Ｂの逆止弁４０Ｇが炭酸ガス噴射部３１の炭酸ガス噴射部開閉弁３１Ａに連通すると、係合部材３１Ｊは逆止弁４０Ｇの外周面に形成された係合溝４０Ｓに係合して、逆止弁４０Ｇと炭酸ガス噴射部開閉弁３１Ａとが連通した状態を保持することができる。
【００７５】
また、逆止弁案内部３１Ｂは筒状の外側の前側及び後側それぞれにプッシュボタン（図示せず）が設けられている。これらプッシュボタンは係合部材３１Ｊによる逆止弁４０Ｇの把持を解除することができる。詳しくは、これらプッシュボタンそれぞれを逆止弁案内部３１Ｂの筒状の内側に向けて押し込むと、係合部材３１Ｊが前後方向から押される。すると、係合部材３１Ｊの左右方向の寸法が大きくなる。そして、係合部材３１Ｊと逆止弁４０Ｇの係合溝４０Ｓとの係合が解除される。こうして、逆止弁４０Ｇと炭酸ガス噴射部開閉弁３１Ａとが連通した状態を解除して、容器４０をウォーターサーバー本体５０から取り外すことができる。
【００７６】
こうして構成された炭酸ガス噴射部３１は炭酸ガス噴射口３１Ｆから炭酸ガスを噴射して炭酸ガスを使用者に供給することができる。詳しくは、炭酸ガス噴射部３１は容器４０の炭酸ガス流入部４０Ｂの逆止弁４０Ｇを炭酸ガス噴射部３１の逆止弁案内部３１Ｂに挿入して案内して、容器４０の炭酸ガス流入部４０Ｂの逆止弁４０Ｇを炭酸ガス噴射部３１の炭酸ガス噴射部開閉弁３１Ａに連通させる。このとき、炭酸ガス噴射部３１は炭酸ガス噴射部開閉弁３１Ａの炭酸ガス噴射部開閉弁側弁体３１Ｇの下端面が炭酸ガス流入部４０Ｂの逆止弁４０Ｇの逆止弁側弁体４０Ｑの上端面によって押し上げられる。すると、炭酸ガス噴射部開閉弁側弁体３１Ｇの円錐台状の外周面と炭酸ガス噴射口３１Ｆの内周面の上端との間に隙間が形成される。このとき、逆止弁側弁体４０Ｑの円錐台状の外周面と炭酸ガス流入口４０Ｎの内周面の下端との間にも隙間が形成される。つまり、炭酸ガス噴射部３１は容器４０の炭酸ガス流入口４０Ｎが炭酸ガス噴射口３１Ｆに連通していないと炭酸ガス噴射部開閉弁３１Ａが開弁しない。また、炭酸ガス噴射部３１は後述する容器４０の炭酸ガス流入口４０Ｎが炭酸ガス噴射口３１Ｆに連通していない状態で炭酸ガス電磁弁３２Ｃが不用意に開弁しても、炭酸ガスが炭酸ガス噴射口３１Ｆから噴出することを抑えることができる。
【００７７】
炭酸ガス噴射部３１は使用者が操作部１４の炭酸ガス供給ボタン１４Ｃを押している間、炭酸ガス電磁弁３２Ｃを開弁して炭酸ガス導入部３０から導入された炭酸ガスを炭酸ガス噴射口３１Ｆから噴射し容器４０内に流入させることができる。また、炭酸ガス供給ボタン１４Ｃを押すことを止めると炭酸ガス電磁弁３２Ｃが閉弁して、炭酸ガス噴射口３１Ｆからの炭酸ガスの噴射を停止させて、容器４０内への炭酸ガスの流入を止めることもできる。
【００７８】
供給部１３は、ウォーターサーバー本体５０の上下中央部の前側に設けられている（図６、７参照。）。供給部１３は、図８に示すように、左右中央部が後方向に窪んだ凹部１３Ａが形成されている。
【００７９】
供給部１３は凹部１３Ａの右側に後方向に窪んだ第１案内部である貯留部案内部１３Ｂが形成されている。貯留部案内部１３Ｂは左右方向の断面形状において曲率半径がほぼ一定に窪んで形成されている。貯留部案内部１３Ｂは曲率半径が容器４０の貯留部４０Ａの円筒状の外径とほぼ同じである。
【００８０】
供給部１３は凹部１３Ａ及び貯留部案内部１３Ｂの下端に平板状に前方向に伸びた下面部１３Ｃが形成されている。下面部１３Ｃは平板状の中央部に上下方向に貫通した複数の排水孔１３Ｅが設けられている。排水孔１３Ｅは飲料水吐水口２３Ａから飲料水を吐水して容器４０に流入させる際、容器４０に流入しなかった水を下面部１３Ｃの直下に設けられたドリップトレイ５１に流すことができる。平板状の下面部１３Ｃ、及びドリップトレイ５１は供給部１３から取り外すことができる（図示せず。）。こうして、ドリップトレイ５１に溜まった水を容易に捨てることができる。また、このウォーターサーバーは下面部１３Ｃ、及びドリップトレイ５１を取り外すことによって、より上下方向の寸法が大きい容器を供給部１３に配置させることができる。このため、このウォーターサーバーはよりさまざまな容器に冷却水、熱水、及び炭酸ガスを流入させることができる。供給部１３は凹部１３Ａ及び貯留部案内部１３Ｂの上端に平板状に前方向に伸びた上面部１３Ｄが連続して形成されている。上面部１３Ｄは前端がウォーターサーバー本体５０の外周面に連続している。
【００８１】
供給部１３は、図６に示すように、上面部１３Ｄの下側の左右中央部に飲料水吐水口２３Ａが設けられている。また、供給部１３は上面部１３Ｄの下側の右側に炭酸ガス噴射部３１が設けられている。つまり、このウォーターサーバーは飲料水吐水部２３と炭酸ガス噴射部３１とが並設されている。炭酸ガス噴射部３１は炭酸ガス噴射部開閉弁３１Ａの炭酸ガス噴射口３１Ｆの中心を貯留部案内部１３Ｂの曲率半径の中心に合わせて設けられている（図８参照。）。
【００８２】
こうして構成された供給部１３は上面部１３Ｄの下側に設けられた飲料水吐水口２３Ａから使用者に冷却水及び熱水を供給することができる。詳しくは、供給部１３は後述する容器４０の貯留部４０Ａを上面部１３Ｄの下側に設けられた飲料水吐水口２３Ａの直下に配置することができる。そして、飲料水吐水口２３Ａから吐水した冷却水を冷却水流入部４０Ｄを介して容器４０の貯留部４０Ａに流入させることができる。
【００８３】
また、供給部１３は上面部１３Ｄの下側に設けられた炭酸ガス噴射部３１から使用者に炭酸ガスを供給することができる。詳しくは、供給部１３は貯留部案内部１３Ｂに容器４０の貯留部４０Ａの外周面を当接させることができる。これにより、供給部１３は容器４０の貯留部４０Ａに取り付けられた炭酸ガス流入部４０Ｂの逆止弁４０Ｇを炭酸ガス噴射部３１の逆止弁案内部３１Ｂに容易に挿入することができる。つまり、貯留部案内部１３Ｂは冷却水を貯留し、炭酸ガスを流入させる炭酸ガス流入口４０Ｎを有した容器４０を案内し、炭酸ガス流入部４０Ｂの炭酸ガス流入口４０Ｎを炭酸ガス噴射口３１Ｆに容易に連通させることができる。また、供給部１３は意図せずに炭酸ガス流入部４０Ｂが炭酸ガス噴射部３１や炭酸ガス噴射部３１の周辺にぶつかり破損したり変形したりすることを抑えることができる。そして、炭酸ガス噴射部３１から噴射した炭酸ガスを容器４０に流入させることができる。
【００８４】
また、供給部１３は、飲料水吐水部２３と炭酸ガス噴射部３１とが並設されているため、貯留部４０Ａに流入した冷却水が温まる前に即時に炭酸水を製造することができるため、より多くの炭酸ガスを冷却水に混ぜることができ、より高い濃度の炭酸水を製造することができる。
【００８５】
容器４０は、図４に示すように、貯留部４０Ａ、及び炭酸ガス流入部４０Ｂを有している。貯留部４０Ａは冷却水流入部４０Ｄを有している。貯留部４０Ａは円筒状をなし上下方向に伸び、下端が閉鎖されている。貯留部４０Ａは円筒状の上端に上方向に膨らみつつ内側に向けて湾曲して伸びた貯留部上壁４０Ｃが形成されている。冷却水流入部４０Ｄは円筒状をなし、貯留部上壁４０Ｃの内周の上面から立ち上がって伸びている。冷却水流入部４０Ｄは外径が貯留部４０Ａの外径と比べて小さい。また、冷却水流入部４０Ｄは外周面に周方向に雄ねじが形成されている。
【００８６】
炭酸ガス流入部４０Ｂは、炭酸ガス流入路４０Ｅ、蓋部４０Ｆ、及び逆止弁４０Ｇを有している。炭酸ガス流入路４０Ｅは管状をなし上下方向に伸びている。炭酸ガス流入路４０Ｅは下端に炭酸ガス流出口４０Ｈが設けられている。蓋部４０Ｆは円環部４０Ｊ及び円筒部４０Ｋを具備している。円環部４０Ｊは炭酸ガス流入路４０Ｅの上端部の外周面から外側の径方向に円環状をなして伸びている。円筒部４０Ｋは円筒状をなし円環部４０Ｊの外周面から垂下している。円筒部４０Ｋは円筒状の内周面に周方向に雌ねじが形成されている。また、容器４０は炭酸ガス流入部４０Ｂを貯留部４０Ａにねじ込んだ際、炭酸ガス流入路４０Ｅの下端が貯留部４０Ａの底面近傍まで伸びている。つまり、容器４０は炭酸ガス流出口４０Ｈが貯留部４０Ａの底面近傍に配置されている。
【００８７】
逆止弁４０Ｇは、図４、５に示すように、逆止弁側筒部４０Ｌ、逆止弁側上壁部４０Ｍ、炭酸ガス流入口４０Ｎ、逆止弁側下壁部４０Ｐ、逆止弁側弁体４０Ｑ、及び逆止弁側バネ４０Ｒを具備している。逆止弁側筒部４０Ｌは筒状をなし上下方向に伸びている。逆止弁側筒部４０Ｌは外周面の上部に内側に向けて窪んだ係合溝４０Ｓが設けられている。逆止弁側上壁部４０Ｍは逆止弁側筒部４０Ｌの上端から内側に向けて平板状に伸びている。
【００８８】
炭酸ガス流入口４０Ｎは逆止弁側上壁部４０Ｍの平板状の中央部に上下方向に貫通して設けられている。逆止弁側下壁部４０Ｐは逆止弁側筒部４０Ｌの下端から内側に向けて平板状に伸びている。逆止弁側下壁部４０Ｐは内側の下面が炭酸ガス流入路４０Ｅの上端に連通している。
【００８９】
逆止弁側弁体４０Ｑは逆止弁側上壁部４０Ｍに設けられた炭酸ガス流入口４０Ｎの下側に設けられている。逆止弁側弁体４０Ｑは上方向に細い円錐台状をなしている。逆止弁側弁体４０Ｑは円錐台状の上側が炭酸ガス流入口４０Ｎの下側から上方向に挿通され、炭酸ガス流入口４０Ｎの上側に突出している。逆止弁側弁体４０Ｑは円錐台状の外周面が炭酸ガス流入口４０Ｎの内周面の下端に当接している。
【００９０】
逆止弁側バネ４０Ｒは逆止弁側弁体４０Ｑの下側に設けられている。逆止弁側バネ４０Ｒは圧縮コイルバネである。逆止弁側バネ４０Ｒは上下方向に配置されて上端が逆止弁側弁体４０Ｑの下端面に連結されている。また、逆止弁側バネ４０Ｒは下端が逆止弁側下壁部４０Ｐの上面に連結されている。逆止弁側弁体４０Ｑは上方向に逆止弁側バネ４０Ｒの弾性力が付与されている。つまり、逆止弁側弁体４０Ｑは円錐台状の外周面が炭酸ガス流入口４０Ｎの内周面の下端に当接して、炭酸ガス流入口４０Ｎを閉鎖することができる。
【００９１】
こうして構成された容器４０は内部に冷却水と炭酸ガスとを保持することができる。詳しくは、容器４０は炭酸ガス流入部４０Ｂに設けられた蓋部４０Ｆの円筒部４０Ｋに設けられた雌ねじを貯留部４０Ａの冷却水流入部４０Ｄに設けられた雄ねじにねじ込む。これにより、容器４０は内部を密閉することができ、内部に冷却水と炭酸ガスとを流入させて保持することができる。詳しくは、冷却水を流入させた容器４０内へ炭酸ガスを流入させると、炭酸ガスが炭酸ガス流出口４０Ｈを介して容器４０内に流入する。この際、容器４０は炭酸ガス流入路４０Ｅの下端が容器４０の底面近傍まで伸びて、炭酸ガス流出口４０Ｈが貯留部４０Ａの底面近傍に配置されている。これにより、容器４０は容器４０内に流入した炭酸ガスが冷却水の中を通過する距離をより長くすることができる。このため、容器４０は炭酸ガスで貯留部４０Ａに流入した冷却水を満遍なく撹拌しつつ、炭酸ガスをより多く冷却水に溶け込ませることができる。
【００９２】
また、容器４０内は上部に冷却水に溶け込まなかった炭酸ガスが保持される。この際、容器４０を供給部１３から取り外し、蓋部４０Ｆを冷却水流入部４０Ｄにねじ込んだ状態で振ることによって、容器４０内の冷却水と容器４０の上部に保持された炭酸ガスとを攪拌することができる。これにより、容器４０の上部に保持された炭酸ガスを無駄にせず、効率よく炭酸水を製造することができる。
【００９３】
次に、このウォーターサーバーの動作を説明する。
【００９４】
先ず、図１に示すように、飲料水が充填された袋５３をカートリッジ１０Ｆに収納する。この袋５３はポリプロピレン等の合成樹脂で形成されている。そして、上蓋１０Ｊを周囲壁１０Ｈの上端に当接して周囲壁１０Ｈの上端に載置する。次に、図２（Ｂ）に示すように、飲料水が充填された袋５３を収納したカートリッジ１０Ｆを飲料水載置部１０に載置する。カバー部材１０Ｄは、カートリッジ１０Ｆを飲料水載置部１０に載置した際、保護壁部１０Ｍがカートリッジ１０Ｆのカートリッジ底壁１０Ｇに当接し押し下げられる。このとき、保護壁部１０Ｍはニードル挿通孔１０Ｎが飲料水載置部導水路２０のニードル部２０Ａを挿通する。そして、カートリッジ１０Ｆの窪み部１０Ｐが飲料水載置部１０の立壁部１０Ｂに嵌合する。そして、カートリッジ１０Ｆのカートリッジ底壁１０Ｇの下面が飲料水載置部１０の飲料水載置部底壁１０Ａの上面に当接する。このとき、飲料水載置部導水路２０のニードル部２０Ａの上端はカートリッジ底壁１０Ｇに設けられた貫通孔１０Ｑを挿通し、カートリッジ底壁１０Ｇの上側に突出しつつ、袋５３に突き刺さる。なお、飲料水が袋５３から飲料水載置部１０に漏出しても、飲料水載置部排水路１０Ｃを介してドリップトレイ５１へ流すことができる。
【００９５】
袋５３に充填された飲料水は、図１に示すように、ニードル部２０Ａに設けられた飲料水導入孔２０Ｂ及び飲料水載置部導水路２０を介して仕切り部１１Ａによって仕切られた飲料水冷却部１１の上側の空間に導入される。そして、飲料水は飲料水冷却部１１の仕切り部１１Ａの外周面と飲料水冷却部１１の円筒状の内周面との間に形成された隙間を介して仕切り部１１Ａによって仕切られた飲料水冷却部１１の下側の空間に導入される。さらに、飲料水冷却部１１の下側の空間に導入された飲料水は飲料水吐水部導水路２２の冷却水流路２２Ａ側を介して、飲料水吐水路２２Ｄの冷却水側電磁弁２２Ｆの入水ポート側及び熱水循環路２２Ｃの循環路電磁弁２２Ｅの入水ポート側まで導入される。また、飲料水は仕切り部１１Ａの貫通孔１１Ｂ及び飲料水冷却部導水路２１を介して飲料水加熱部１２に導入される。さらに、飲料水加熱部１２に導入された飲料水は飲料水吐水部導水路２２の熱水流路２２Ｂ側を介して、飲料水吐水路２２Ｄの熱水側電磁弁２２Ｇの入水ポート側及び熱水循環路２２Ｃの循環路電磁弁２２Ｅの非入水ポート側まで導入される。
【００９６】
そして、飲料水冷却部１１のフロートスイッチ１１Ｄで検出した、飲料水冷却部１１内に導入された飲料水の水位に対応する値が所定の値より大きくなると、飲料水導入電磁弁２０Ｃが閉弁する。こうしてウォーターサーバー内への飲料水の導入が完了する。
【００９７】
なお、飲料水冷却部１１に所定の量より多くの飲料水が導入された場合、フロートスイッチ１１Ｄの機能が停止する。これにより、このウォーターサーバーは制御部が装置の動作を停止させることができる。また、飲料水冷却部排水路１１Ｅにはエアフィルター１１Ｆが設けられているため、飲料水冷却部排水路１１Ｅを介して飲料水冷却部１１内に異物が侵入することを防ぐことができる。
【００９８】
次に、図１、３、７に示すように、炭酸ガス導入部３０に炭酸ガスが貯蔵されたボンベ５２を取り付ける。
【００９９】
先ず、炭酸ガス流路３２に設けられたヒンジ部３２Ｂを操作し、炭酸ガス導入部３０を回動させて炭酸ガス導入口３０Ａの開口した下端である開口部３０Ｆを作業者の方向であるウォーターサーバー本体５０の前側に向ける。
【０１００】
次に、炭酸ガス導入部３０のボンベ案内部３０Ｂの直線部３０Ｈの円筒状の開口した下端からボンベ５２の炭酸ガス吐出部５２Ｂを挿入しボンベ５２を挿入する。そして、ボンベ５２の炭酸ガス吐出部５２Ｂを炭酸ガス導入口３０Ａにねじ込む。すると、炭酸ガス吐出部５２Ｂの円筒状の先端面が炭酸ガス導入口３０Ａに設けられた凸部３０Ｄの下端に押し付けられ、凸部３０Ｄの下端が円筒状の先端面を貫通し、ボンベ５２を開栓する。こうして、炭酸ガス吐出部５２Ｂの先端面に炭酸ガス吐出口５２Ｃが形成される。つまり、ボンベ案内部３０Ｂはボンベ５２を案内し、ボンベ５２の炭酸ガス吐出口５２Ｃを炭酸ガス導入部３０の炭酸ガス導入口３０Ａに連通させる。すると、ボンベ５２の炭酸ガス吐出口５２Ｃから流出した炭酸ガスは炭酸ガス導入部３０の炭酸ガス導入口３０Ａを介して炭酸ガス流路３２に導入される。
【０１０１】
このとき、炭酸ガス流路３２に設けられた減圧弁３２Ａを調節することによって、炭酸ガス導入口３０Ａから導入され炭酸ガス噴射部３１側へ流れる炭酸ガスの流量を所望の流量に調節することができる。減圧弁３２Ａは装置を製造する際に予め所定の流量に調節しても良く、使用者が操作して所望の流量に調節しても良い。そして、炭酸ガスが炭酸ガス電磁弁３２Ｃの流入ポート側まで導入される。そして、炭酸ガス流路３２に設けられたヒンジ部３２Ｂを操作し、炭酸ガス導入部３０を回動させて炭酸ガス導入口３０Ａの開口した下端を鉛直方向の下向きに向け、ボンベ５２をウォーターサーバー本体５０内に収納する。つまり、炭酸ガス導入口３０Ａはボンベ５２を装着する際の開口方向と、ボンベ５２を収納した際の開口方向との間で回動することができる。こうしてウォーターサーバー内への炭酸ガスの導入が完了する。
【０１０２】
飲料水吐水口２３Ａから冷却水を吐水する場合、冷却水側電磁弁２２Ｆは使用者が操作部１４の冷却水供給ボタン１４Ａを押している間、開弁する。すると、冷却水側電磁弁２２Ｆの入水ポート側に導入された冷却水が冷却水側電磁弁２２Ｆを介して飲料水吐水部２３へ導入される。そして、飲料水吐水口２３Ａから冷却水が吐水され使用者に供給される。そして、所望の量の冷却水を取り出した後、冷却水供給ボタン１４Ａを押すことを止めると冷却水側電磁弁２２Ｆが閉弁する。これにより、冷却水の飲料水吐水部２３への導入を停止する。
【０１０３】
飲料水吐水口２３Ａから熱水を吐水する場合、熱水側電磁弁２２Ｇは使用者が操作部１４の熱水供給ボタン１４Ｂを押している間、開弁する。すると、熱水側電磁弁２２Ｇの入水ポート側に導入された熱水が熱水側電磁弁２２Ｇを介して飲料水吐水部２３へ導入される。そして、飲料水吐水口２３Ａから熱水が吐水され使用者に供給される。そして、所望の量の熱水を取り出した後、熱水供給ボタン１４Ｂを押すことを止めると熱水側電磁弁２２Ｇが閉弁する。これにより、熱水の飲料水吐水部２３への導入を停止する。
【０１０４】
また、装置内の殺菌を行うために熱水を装置内に循環して満たす場合、飲料水冷却部導水路２１に設けられたポンプ２１Ａを駆動すると共に循環路電磁弁２２Ｅを開弁する。この装置内の殺菌は予め決定された所定の時間毎に自動で行うことができる。先ず、ポンプ２１Ａが駆動し、飲料水加熱部１２で加熱された熱水が飲料水冷却部導水路２１を通り飲料水加熱部１２から飲料水冷却部１１に向けて送られる。すると、熱水は仕切り部１１Ａによって仕切られた飲料水冷却部１１の上側の空間に送られる。そして、熱水は仕切り部１１Ａの外周面と飲料水冷却部１１の円筒状の内周面との間に形成された隙間を介して仕切り部１１Ａによって仕切られた飲料水冷却部１１の下側の空間に送られる。そして、熱水は飲料水吐水部導水路２２の冷却水流路２２Ａ、熱水循環路２２Ｃ及び熱水流路２２Ｂを介して再び飲料水加熱部１２に送られる。こうして、このウォーターサーバーは装置内を熱水が満遍なく循環して満たすことによって装置内の殺菌を行うことができる。そして、熱水の循環を所定の時間行った後、自動でポンプ２１Ａの駆動が停止すると共に循環路電磁弁２２Ｅが閉弁する。
【０１０５】
次に、炭酸水を製造する方法を説明する。
【０１０６】
先ず、図１０に示すように、貯留部４０Ａをウォーターサーバー本体５０の供給部１３の上面部１３Ｄの下側に設けられた飲料水吐水口２３Ａの直下に配置する。そして、飲料水吐水口２３Ａから吐水した冷却水を冷却水流入部４０Ｄを介して貯留部４０Ａに流入させる。冷却水の温度は１０℃以下である。そして、図１１に示すように、冷却水を流入させた貯留部４０Ａに炭酸ガス流入部４０Ｂを取り付ける。詳しくは、冷却水を流入させた貯留部４０Ａを供給部１３から取り外し、貯留部４０Ａの冷却水流入部４０Ｄに炭酸ガス流入部４０Ｂの蓋部４０Ｆをねじ込む。このとき、炭酸ガス流入部４０Ｂの炭酸ガス流入路４０Ｅの炭酸ガス流出口４０Ｈは貯留部４０Ａ内に流入させた冷却水に浸かっている。つまり、炭酸ガス流入部４０Ｂは炭酸ガス流入路４０Ｅの下端に形成された炭酸ガス流出口４０Ｈが貯留部４０Ａ内に連通している。
【０１０７】
次に、図１２に示すように、容器４０をウォーターサーバー本体５０の供給部１３の上面部１３Ｄの下側に設けられた炭酸ガス噴射部３１の直下に配置し、炭酸ガス流入部４０Ｂの逆止弁４０Ｇを炭酸ガス噴射部３１の炭酸ガス噴射部開閉弁３１Ａに連通させる。このとき、貯留部案内部１３Ｂに貯留部４０Ａの外周面を当接させることによって、炭酸ガス流入部４０Ｂの逆止弁４０Ｇを炭酸ガス噴射部３１の逆止弁案内部３１Ｂに容易に挿入することができる。つまり、貯留部案内部１３Ｂは容器４０を案内し、炭酸ガス流入部４０Ｂの炭酸ガス流入口４０Ｎを炭酸ガス噴射口３１Ｆに連通させることができる。
【０１０８】
そして、図５に示すように、炭酸ガス流入部４０Ｂの逆止弁４０Ｇを炭酸ガス噴射部３１の逆止弁案内部３１Ｂに挿入する。すると、炭酸ガス噴射部３１の炭酸ガス噴射部開閉弁３１Ａの炭酸ガス噴射部開閉弁側弁体３１Ｇの下端面と炭酸ガス流入部４０Ｂの逆止弁４０Ｇの逆止弁側弁体４０Ｑの上端面とが当接する。
【０１０９】
そして、炭酸ガス流入部４０Ｂの逆止弁４０Ｇの逆止弁側上壁部４０Ｍの上面を炭酸ガス噴射部３１の炭酸ガス噴射部開閉弁３１Ａの炭酸ガス噴射部開閉弁側下壁部３１Ｅの下面に当接させる。すると、炭酸ガス流入部４０Ｂの逆止弁４０Ｇの逆止弁側弁体４０Ｑの上端面と炭酸ガス噴射部３１の炭酸ガス噴射部開閉弁３１Ａの炭酸ガス噴射部開閉弁側弁体３１Ｇの下端面とが互いに押し合う。すると、炭酸ガス噴射部開閉弁側弁体３１Ｇの円錐台状の外周面と炭酸ガス噴射口３１Ｆの内周面の上端との間に隙間が形成される。また、逆止弁側弁体４０Ｑの円錐台状の外周面と炭酸ガス流入口４０Ｎの内周面の下端との間に隙間が形成される。こうして、炭酸ガス流入部４０Ｂの逆止弁４０Ｇと炭酸ガス噴射部３１の炭酸ガス噴射部開閉弁３１Ａとが連通する。つまり、ウォーターサーバー本体５０の炭酸ガス噴射部３１に設けられた炭酸ガス噴射部開閉弁３１Ａは、炭酸ガス流入部４０Ｂの炭酸ガス流入口４０Ｎを炭酸ガス噴射口３１Ｆに連通させると炭酸ガス流入部４０Ｂに備えられた逆止弁４０Ｇに連動して開弁する。このとき、逆止弁案内部３１Ｂに設けられた係合部材３１Ｊは逆止弁４０Ｇの外周面に形成された係合溝４０Ｓに係合して、逆止弁４０Ｇと炭酸ガス噴射部開閉弁３１Ａとが連通した状態を保持することができる。
【０１１０】
次に、図１３に示すように、容器４０内に炭酸ガスを流入させる。詳しくは、炭酸ガス電磁弁３２Ｃは使用者が操作部１４の炭酸ガス供給ボタン１４Ｃを押している間、開弁する。そして、炭酸ガス導入部３０に導入された炭酸ガスが炭酸ガス噴射部３１の炭酸ガス噴射口３１Ｆから噴射し容器４０内に流入する。つまり、このウォーターサーバーは炭酸ガス噴射口３１Ｆから炭酸ガスを噴射して使用者に供給する。このとき、炭酸ガスは炭酸ガス流入部４０Ｂの炭酸ガス流入路４０Ｅの炭酸ガス流出口４０Ｈを介して容器４０内の冷却水の中に流入する。この際、炭酸ガスは容器４０内に流入した冷却水を撹拌しつつ、冷却水に溶け込むことができる。
【０１１１】
炭酸ガス電磁弁３２Ｃを開弁すると、炭酸ガス流路３２内の圧力が小さくなり、容器４０内の圧力とほぼ同じになる。容器４０内への炭酸ガスの流入が進むにつれ、炭酸ガス流路３２内の圧力が徐々に大きくなる。そして、さらに容器４０内への炭酸ガスの流入が進むと、炭酸ガス流路３２内の圧力が炭酸ガス電磁弁３２Ｃを開弁する前の圧力とほぼ等しくなる。すると、容器４０内に炭酸ガスが流入しなくなるため、炭酸ガスによる容器４０内の冷却水の撹拌も止まる。これにより、容器４０内へ炭酸ガスの流入が終了したことを使用者が目視で判別することができる。そして、炭酸ガス供給ボタン１４Ｃを押すことを止めて炭酸ガス電磁弁３２Ｃを閉弁し、炭酸ガスの容器４０内への流入を停止する。このとき、容器４０内は上部に冷却水に溶け込まなかった炭酸ガスが保持される。
【０１１２】
なお、使用者の所望の時間、炭酸ガス供給ボタン１４Ｃを押し続けることによって、容器４０内に所望の量の炭酸ガスを流入させることができる。これにより、このウォーターサーバーは低い濃度の炭酸水も容易に製造することができる。つまり、このウォーターサーバーは炭酸水を１回製造する毎にボンベを使い切る従来の炭酸ガス混入装置と比べると、製造する炭酸水の濃度を容易に調節することができる。
【０１１３】
次に、図１４に示すように、炭酸ガス流入部４０Ｂの逆止弁４０Ｇを炭酸ガス噴射部３１の逆止弁案内部３１Ｂから外し、容器４０を供給部１３から取り外す。詳しくは、逆止弁案内部３１Ｂに設けられた一対のプッシュボタン（図示せず）それぞれを逆止弁案内部３１Ｂの筒状の内側に向けて押し込むと、係合部材３１Ｊと逆止弁４０Ｇの係合溝４０Ｓとの係合が解除される。こうして、容器４０を供給部１３から取り外す。このとき、逆止弁４０Ｇの逆止弁側弁体４０Ｑが逆止弁側バネ４０Ｒの弾性力によって、円錐台状の外周面が炭酸ガス流入口４０Ｎの内周面の下端に当接する。さらに、容器４０内の圧力が大気圧より大きいため、逆止弁側弁体４０Ｑの円錐台状の外周面が炭酸ガス流入口４０Ｎの内周面の下端に押し付けられる。このため、逆止弁４０Ｇは容器４０内に流入した炭酸ガスが炭酸ガス流入口４０Ｎから外部に漏出することを阻止することができる。
【０１１４】
また、炭酸ガス噴射部開閉弁３１Ａの炭酸ガス噴射部開閉弁側弁体３１Ｇが炭酸ガス噴射部開閉弁側バネ３１Ｈの弾性力によって、円錐台状の外周面が炭酸ガス噴射口３１Ｆの内周面の上端に当接する。さらに、炭酸ガス流路３２内の圧力が大気圧より大きいため、炭酸ガス噴射部開閉弁側弁体３１Ｇの円錐台状の外周面が炭酸ガス噴射口３１Ｆの内周面の上端に押し付けられる。このため炭酸ガス噴射部開閉弁３１Ａは炭酸ガス噴射口３１Ｆから外側に炭酸ガスが漏出することを阻止することができる。こうして、炭酸ガス流入部４０Ｂは逆止弁４０Ｇの炭酸ガス流入口４０Ｎが炭酸ガス噴射口３１Ｆに対して着脱自在である。そして、図１５に示すように、容器４０を振り、容器４０内に流入した冷却水と容器４０内の上部に保持された炭酸ガスとを攪拌する。こうして容器４０内の上部に保持された炭酸ガスを無駄にせず、効率よく炭酸水を製造することができる。
【０１１５】
炭酸ガス流路３２は炭酸ガス噴射部開閉弁３１Ａと炭酸ガス電磁弁３２Ｃとが隣り合って連通して設けられている。これにより、炭酸ガス電磁弁３２Ｃと炭酸ガス噴射部開閉弁３１Ａとの間の炭酸ガス流路３２内の空間が小さくなる。これにより、炭酸ガス電磁弁３２Ｃと炭酸ガス噴射部開閉弁３１Ａとの間の炭酸ガス流路３２内に残留する炭酸ガスの体積を小さくすることができるため、次に容器４０の炭酸ガス流入部４０Ｂの逆止弁４０Ｇを炭酸ガス噴射部３１の炭酸ガス噴射部開閉弁３１Ａに連通させる場合、容易に連通させることができる。
【０１１６】
このように、このウォーターサーバーは使用者に冷却水と炭酸ガスとを別々に供給することができる。これにより、このウォーターサーバーは使用者が所望の量の冷却水に所望の量の炭酸ガスを混ぜて所望の量の炭酸水を製造することができる。このため、このウォーターサーバーは装置内に炭酸水を製造するための構造を設けないため、装置内の構造を簡単にすることができる。また、このウォーターサーバーは装置内に炭酸水を製造するための構造を設ける空間が不要であるため、より装置の外形を小さくすることができる。また、このウォーターサーバーは使用者の所望の量の炭酸水を製造することができるため、冷却水及び炭酸ガスを無駄に使用することを抑えることができる。
【０１１７】
したがって、本発明のウォーターサーバーは炭酸水を容易に製造することができる。
【０１１８】
また、このウォーターサーバーは、飲料水吐水部２３と炭酸ガス噴射部３１とが並設されている。このため、このウォーターサーバーは飲料水吐水部２３から取り出した冷水に炭酸ガス噴射部３１から直ぐに炭酸ガスを噴射して混ぜることができる。これにより、このウォーターサーバーは、冷却水が温まる前に即時に炭酸水を製造することができるため、より多くの炭酸ガスを冷却水に混ぜることができ、より高い濃度の炭酸水を製造することができる。
【０１１９】
また、このウォーターサーバーは、冷却水を貯留し、炭酸ガスを流入させる炭酸ガス流入口４０Ｎを有した容器４０を案内し、炭酸ガス流入口４０Ｎを炭酸ガス噴射口３１Ｆに連通させる貯留部案内部１３Ｂを備えている。このため、このウォーターサーバーは容器４０に設けられた炭酸ガス流入口４０Ｎを炭酸ガス噴射口３１Ｆに確実に案内し連通させることができる。このため、このウォーターサーバーは、炭酸ガス流入部４０Ｂと炭酸ガス噴射部３１とを容易に連通させることができる。また、このウォーターサーバーは意図せずに炭酸ガス流入部４０Ｂが炭酸ガス噴射部３１や炭酸ガス噴射部３１の周辺にぶつかり破損したり変形したりすることを抑えることができる。
【０１２０】
また、このウォーターサーバーは、炭酸ガス導入部３０と炭酸ガス噴射部３１とを連通する炭酸ガス流路３２を開閉する炭酸ガス電磁弁３２Ｃと、炭酸ガス噴射部３１に設けられ、炭酸ガス流入口４０Ｎを炭酸ガス噴射口３１Ｆに連通させると開弁する炭酸ガス噴射部開閉弁３１Ａとを備えている。このため、このウォーターサーバーは容器４０の炭酸ガス流入口４０Ｎが炭酸ガス噴射口３１Ｆに連通していないと炭酸ガス噴射部開閉弁３１Ａが開弁しない。このため、このウォーターサーバーは、容器４０の炭酸ガス流入口４０Ｎが炭酸ガス噴射口３１Ｆに連通していない状態で炭酸ガス電磁弁３２Ｃが不用意に開弁しても、炭酸ガスが炭酸ガス噴射口３１Ｆから噴出することを抑えることができる。
【０１２１】
また、このウォーターサーバーの炭酸ガス導入部３０は、炭酸ガスを貯蔵し、炭酸ガスが流出する炭酸ガス吐出口５２Ｃを有した炭酸ガス吐出部５２Ｂを具備したボンベ５２を案内し、炭酸ガス吐出口５２Ｃを炭酸ガス導入口３０Ａに連通させるボンベ案内部３０Ｂを有している。このため、このウォーターサーバーは炭酸ガス導入部３０に設けられたボンベ案内部３０Ｂでボンベ５２を案内することができるため、炭酸ガス吐出口５２Ｃを炭酸ガス導入口３０Ａに確実に案内し連通させることができる。このため、このウォーターサーバーはボンベ５２の炭酸ガス吐出口５２Ｃと炭酸ガス導入口３０Ａとで接続不良が生ずることを防止することができ、接続不良によって炭酸ガスが漏出することを防止することができる。
【０１２２】
また、このウォーターサーバーの炭酸ガス導入口３０Ａは、ボンベ５２を装着する際の開口方向と、ボンベ５２を収納した際の方向との間で回動する。このため、このウォーターサーバーは、ボンベ５２を装着し炭酸ガス吐出口５２Ｃを炭酸ガス導入口３０Ａに連通させる際、炭酸ガス導入口３０Ａを作業者の方向に向けることができるため、ボンベ５２を容易に装着することができる。また、このウォーターサーバーはボンベ５２の装着が終了した後、炭酸ガス導入口３０Ａがボンベ５２と共に回動しボンベ５２を装置内に収納することができる。こうして、このウォーターサーバーはボンベ５２を装置内に容易に収納することができるため、奥行き寸法を小さくすることができる。
【０１２３】
本発明は上記記述及び図面によって説明した実施例１に限定されるものではなく、例えば次のような実施例も本発明の技術的範囲に含まれる。
（１）実施例１では、容器の炭酸ガス流入部と冷却水流入部とが別々に設けられているが、これに限らず、炭酸ガス流入部と冷却水流入部とを共通に設けても良い。
（２）実施例１では、供給部に貯留部案内部を設けているが、これに限らず、貯留部案内部を設けなくても良い。
（３）実施例１では、供給部に貯留部案内部を設けているが、これに限らず、炭酸ガス噴射部の逆止弁案内部を下方向に広い円錐状に形成し、逆止弁を炭酸ガス噴射部開閉弁に案内させても良い。
（４）実施例１では、炭酸ガス噴射部の逆止弁案内部を設けているが、これに限らず、炭酸ガス噴射部の逆止弁案内部を設けなくても良い。
（５）実施例１では、炭酸ガス導入部にボンベ案内部を設けているが、これに限らず、炭酸ガス導入部にボンベ案内部を設けなくても良い。
【０１２４】
（６）実施例１では、炭酸ガス流路にヒンジ部を設けているが、これに限らず、炭酸ガス流路にヒンジ部を設けなくても良い。
（７）実施例１では、容器に炭酸ガスを流入させる量を使用者が目視することによって判別しているが、これに限らず、炭酸ガス流路にフローセンサーを設けても良い。この場合、フローセンサーによって炭酸ガス流路内を単位時間当たりに流れる炭酸ガスの流量を監視する。そして、炭酸ガスが容器内に流入し、炭酸ガス流路内を単位時間当たりに流れる炭酸ガスの流量が所定の流量より小さくなった場合、炭酸ガス電磁弁を閉弁する。
（８）実施例１では、容器に炭酸ガスを流入させる量を使用者が目視することによって判別しているが、これに限らず、炭酸ガス流路に圧力センサーを設けても良い。この場合、圧力センサーによって炭酸ガス流路内の圧力を監視する。そして、炭酸ガスが容器内に流入し、炭酸ガス流路内の圧力が所定の圧力より大きくなった場合、炭酸ガス電磁弁を閉弁する。
（９）実施例１では、炭酸ガス流路に炭酸ガス電磁弁を設けているが、これに限らず、炭酸ガス流路に炭酸ガス電磁弁を設けなくても良い。
（１０）実施例１では、循環路電磁弁を開弁すると共に飲料水冷却部導水路に設けられたポンプを駆動する時間を、予め決定された所定の時間に自動で動作させ装置内に熱水を循環させるが、これに限らず、使用者が操作部を操作することによって所望の時間に循環路電磁弁を開弁すると共に飲料水冷却部導水路に設けられたポンプを駆動して熱水を循環させても良い。
【０１２５】
（１１）実施例１では、容器を振り、容器内に流入した冷却水と容器内の上部に保持された炭酸ガスとを攪拌して炭酸ガスを無駄にせず、炭酸ガスを冷却水に溶け込ませているが、これに限らず、炭酸ガスを炭酸ガス流入部の炭酸ガス流出口を介して容器内の冷却水の中に流入させるだけでも良い。
（１２）実施例１では、飲料水吐水口から冷却水と熱水とをそれぞれ吐水しているが、これに限らず、冷却水と熱水とを別々の飲料水吐水口から吐水しても良い。
（１３）実施例１では、制御部を介して冷却水側電磁弁、熱水側電磁弁、及び炭酸ガス電磁弁を開閉しているが、これに限らず、冷却水側電磁弁、熱水側電磁弁、及び炭酸ガス電磁弁をそれぞれ手動の弁に置き換えて、手動で弁の開閉を行っても良い。
（１４）実施例１では、炭酸ガス導入部を回動させて炭酸ガス導入口の円筒状の開口部を鉛直方向の下向きに向け、ボンベを装置本体内に収納しているが、これに限らず、炭酸ガス導入部を回動させて炭酸ガス導入口の円筒状の開口部を鉛直方向の上方向や左右方向に向け、ボンベを装置本体内に収納しても良い。
（１５）実施例１では、飲料水導入電磁弁はフロートスイッチで検出した飲料水冷却部内に貯留された飲料水の水位に対応する値を制御部で判別して自動で開閉するが、これに限らず、フロート弁等を用いても良い。
（１６）実施例１では、飲料水冷却部に冷却水と常温水の貯蔵を行っているが、これに限らず、飲料水冷却部を設けず、飲料水冷却部側流路に冷却部材を設けても良い。この場合、装置内に飲料水冷却部を設ける空間が不要であるため、装置の外形をより小さくすることができる。
（１７）実施例１では、逆止弁案内部の筒状の外側の前側及び後側それぞれにプッシュボタンが設けられているが、これに限らず、逆止弁案内部の筒状の外側の左側及び右側それぞれにプッシュボタンを設けても良い。
（１８）実施例１では、ボンベ案内部３０Ｂが拡径部３０Ｇ及び直線部３０Ｈを具備しているが、図１６に示すように、ボンベ案内部１３０Ｂの内径をボンベ５２の外径より僅かに大きい一定の円筒状としても良い。なお、図１６において、実施例１と同様な構成は同一の符号を付している。
【符号の説明】
【０１２６】
１１…飲料水冷却部
１３Ｂ…貯留部案内部（第１案内部）
２３…飲料水吐水部
２３Ａ…飲料水吐水口
３０…炭酸ガス導入部
３０Ａ…炭酸ガス導入口
３０Ｂ、１３０Ｂ…ボンベ案内部（第２案内部）
３１…炭酸ガス噴射部
３１Ａ…炭酸ガス噴射部開閉弁（第２開閉弁）
３１Ｆ…炭酸ガス噴射口
３２…炭酸ガス流路
３２Ｃ…炭酸ガス電磁弁（第１開閉弁）
４０…容器
４０Ｂ…炭酸ガス流入部
４０Ｄ…冷却水流入部
４０Ｎ…炭酸ガス流入口
５２…ボンベ
５２Ｂ…炭酸ガス吐出部
５２Ｃ…炭酸ガス吐出口
【図１】
0006495802.tif 000002
【図２】
0006495802.tif 000003
【図３】
0006495802.tif 000004
【図４】
0006495802.tif 000005
【図５】
0006495802.tif 000006
【図６】
0006495802.tif 000007
【図７】
0006495802.tif 000008
【図８】
0006495802.tif 000009
【図９】
0006495802.tif 000010
【図１０】
0006495802.tif 000011
【図１１】
0006495802.tif 000012
【図１２】
0006495802.tif 000013
【図１３】
0006495802.tif 000014
【図１４】
0006495802.tif 000015
【図１５】
0006495802.tif 000016
【図１６】
0006495802.tif 000017